【事件の表示】
　特願２００１−１１７５６５「情報再生装置」拒絶査定不服審判事件〔平成１４年１０月２５日出願公開、特開２００２−３１４９１７、請求項の数（５）〕について、次のとおり審決する。
【結　論】
　原査定を取り消す。
　本願の発明は、特許すべきものとする。
【理　由】
　
第１　経緯
　
１　手続
　本願は、平成１３年４月１７日の出願であって、平成１７年５月２５日付けで拒絶査定された。
　本件は、本願についてされた上記拒絶査定を不服とする平成１７年６月３０日の審判請求であり、平成１７年８月１日付けで手続補正書が提出された。
　
２　査定
　原査定の拒絶の理由は、概略、以下のとおりである。
　　　　　　　　　　　　　　　理　由
　本願の請求項１ないし５に係る発明は、下記刊行物１ないし５に記載された発明に基づいて当業者が容易に発明をすることができたものであるから、特許法第２９条第２項の規定により、特許を受けることができない。
　　　　　　　　　　　　　　　　記
　刊行物１　特開平９−４６６８８号公報
　刊行物２　特開２０００−３５０１６５号公報
　刊行物３　特開平１０−２６２２３６号公報
　刊行物４　特開平１１−２１３６３０号公報
　刊行物５　特開２０００−１３８８８６号公報
　
　
第２　補正の却下の決定
　平成１７年８月１日付けの手続補正(以下「本件補正」という)について、以下のとおり決定する。
　
［結論］
　平成１７年８月１日付けの手続補正を却下する。
　
［理由］
　
１　本件補正の内容
　本件補正は、本件補正前、平成１６年１１月８日付け手続補正書により補正された特許請求の範囲の請求項１及び段落【０００７】の【課題を解決するための手段】について、「映像情報等の個所毎の再生モードを表示した再生履歴を見ながら、使用者が、映像情報等の個所別に消去の可否を指示することができ、指示された個所別の消去の可否に応じて映像情報等が消去又は消去されない」とする事項を付加するものである。
　
２　本件補正の適合性
　本件補正により付加された上記事項のうち、使用者が消去の可否を指示するにあたり「映像情報等の個所毎の再生モードを表示した再生履歴を見ながら」とする事項（以下「第１事項」という）と、使用者が消去の可否を「映像情報等の個所別に」指示することができるとする事項（以下「第２事項」という）について検討する。
　
（１）第１事項
　使用者が消去の可否を指示する構成として、願書に最初に添付した明細書の段落【００４３】には「本実施形態においては、図１２に示すように、映像表示部１０３により過去の再生履歴に対して、消去の可否を設定するＯＳＤ表示を行い、使用者はこれを見ながら過去の再生状況に対応したデータの消去条件を指定することができる。」とあり、段落【００４１】には「本発明の第５実施形態・・・図１２は本実施形態における消去条件設定のためのＯＳＤ例を示す説明図である。」とある。ここで、「使用者」が「過去の再生状況に対応したデータの消去条件を指定する」にあたり「見ながら」としているのは、「消去の可否を設定するＯＳＤ表示」であり、この「消去の可否を設定するＯＳＤ表示」は、「過去の再生履歴」に対するものである。よって、段落【００４１】の上記記載は、「使用者」が「過去の再生履歴」に対する「ＯＳＤ表示」を「見ながら」「過去の再生状況に対応したデータの消去条件を指定する」ことを意味しており、その際のＯＳＤ例は、段落【００４３】の上記記載によれば、図１２に示されている。
　しかし、段落【００４１】、【００４３】の上記記載からは、「使用者」が「過去の再生状況に対応したデータの消去条件を指定する」にあたり「見ながら」とする、「過去の再生履歴」に対する「ＯＳＤ表示」が、具体的に如何なる表示であるのか把握できないし、図１２をみても、複数の再生モードは、「映像音声データＡの過去の再生状況」と記された矩形の下に単に羅列されているのみであり、そのＯＳＤ例が、上記第１事項でいう「映像情報等の個所毎の再生モードを表示した再生履歴」であるとはいえない。
　また、段落【００４５】には「尚、上述した第１〜第５の実施形態を適宜組み合わせて構成しても良く」とあるから、「映像情報等の箇所毎の再生モードを表示した再生履歴を見ながら」再生個所や消去個所を判断するものといえる第１〜第３実施形態（段落【００１８】、【００２８】、【００３６】、図２、５、７）と、「過去の再生履歴に対するＯＳＤ表示を見ながら」消去条件を指定する上記第５実施形態を組み合わせることが示唆されているとはいえるが、その示唆からは、再生個所や消去個所を判断する際には「映像情報等の箇所毎の再生モードを表示した再生履歴を見ながら」とし、消去条件を指定する際には「過去の再生履歴に対するＯＳＤ表示を見ながら」とする構成を読み取ることはできても、消去条件を指定する際「映像情報等の個所毎の再生モードを表示した再生履歴を見ながら」とする第１事項は読み取れない。
　よって、段落【００４１】、【００４３】、【００４５】に第１事項が記載されていたとはいえないし、願書に最初に添付した明細書または図面の他の箇所に第１事項が記載されていたとも認められない。
　したがって、第１事項は、願書に最初に添付した明細書又は図面の範囲内の事項ではない。
　
（２）第２事項
　使用者が消去の可否を指示する構成として、願書に最初に添付した明細書には、「１０７は再生情報蓄積部１０２にて記録されている過去の再生履歴に応じて、データ消去制御部１０６による消去データを決定するための消去条件を設定する消去条件設定部」（段落【００４２】）、「図１２に示すように、映像表示部１０３により過去の再生履歴に対して、消去の可否を設定するＯＳＤ表示を行い、使用者はこれを見ながら過去の再生状況に対応したデータの消去条件を指定することができる。」（段落【００４３】）、「これによって、使用者が例えば映像音声データＡの消去指示を行うと、データ消去制御部１０６は映像音声データＡの過去の再生状況に基づいて、予め使用者により指定された消去条件に従い、映像音声データＡの一部分又は全部を映像音声蓄積部１００から消去することができる。」（段落【００４４】）とあるが、「消去の可否」を如何なる単位で指示できるのかについて説明した記載は見当たらず、唯一、図１２のＯＳＤ例から、「再生モード毎に」消去の可否を指示する構成が読み取れるのみである。よって、願書に最初に添付した明細書または図面に、使用者が消去の可否を「映像情報等の個所別に」指示するとする第２事項が記載されていたとは認められない。
　したがって、第２事項は、願書に最初に添付した明細書又は図面の範囲内の事項ではない。
　
（３）まとめ（本件補正の適合性）
　したがって、本件補正は、特許法第１７条の２第３項の規定に適合しないものであるから、特許法第１５９条第１項の規定において読み替えて準用する同法第５３条第１項の規定により却下すべきものである。
　
　
第３　本願発明
　平成１７年８月１日付けの手続補正は上記のとおり却下する。
　本願の請求項１ないし５に係る発明（以下「本願各発明」という）は、平成１６年１１月８日付け手続補正書により補正された特許請求の範囲の請求項１ないし５に記載された事項により特定される以下のとおりのものである。
「【請求項１】
　記録媒体に記録されている映像情報及び／又は音声情報を、複数の再生モードのうちのいずれかで再生する再生手段と、前記再生手段によって映像情報及び／又は音声情報を再生した際の再生モードを保存する保存手段と、前記保存手段により保存された再生モードを再生履歴として表示する表示手段と、記録コンテンツの必要個所の消去指示を出すデータ消去制御部と、過去の再生履歴を記録する再生情報蓄積部と、該再生情報蓄積部に記録された過去の再生履歴に応じて消去データを決定するための消去条件を設定する消去条件設定部とを備えたことを特徴とする情報再生装置。
　【請求項２】　前記請求項１に記載の情報再生装置において、
　前記再生手段によって映像情報及び／又は音声情報を再生した際の使用者を識別する識別手段を設け、
　前記保存手段は、前記識別手段により識別された使用者と関連付けて再生モードを保存し、
　前記表示手段は、使用者毎の再生モードを再生履歴として表示することを特徴とする情報再生装置。
　【請求項３】　前記請求項１又は２に記載の情報再生装置において、
　前記再生手段によるそれぞれの再生モードでの再生回数をカウントするカウント手段を設け、
　前記保存手段は、それぞれの再生モードをその再生回数とともに保存し、
　前記表示手段は、再生モード毎の再生回数を再生履歴として表示することを特徴とする情報再生装置。
　【請求項４】　前記請求項１乃至３のいずれかに記載の情報再生装置において、
　前記保存手段に保存された再生モードに基づいて、前記再生手段によって映像情報及び／又は音声情報を再生する再生モードを決定する決定手段を設けたことを特徴とする情報再生装置。
　【請求項５】　前記請求項１乃至４のいずれかに記載の情報再生装置において、
　前記保存手段に保存された再生モードに基づいて、前記記録媒体に記録されている映像情報及び／又は音声情報の一部又は全部を消去する消去手段を設けたことを特徴とする情報再生装置。」
　
　
第４　査定の検討
　
１　請求項の記載
　請求項１には「該再生情報蓄積部に記録された過去の再生履歴に応じて消去データを決定するための消去条件を設定する消去条件設定部」とあるが、その記載では、「該再生情報蓄積部に記録された過去の再生履歴に応じて」が、その直後の「消去データを決定する」に係るのか、それとも「消去条件を設定する」に係るのか定かでない。
　そこで、発明の詳細な説明を参酌するに、以下（１）〜（３）のことがいえるから、消去条件の設定は、過去の再生履歴に応じてなされるものといえる。よって、「該再生情報蓄積部に記録された過去の再生履歴に応じて」は、「消去条件を設定する」に係るものと解するのが相当である。
　したがって、請求項１に「該再生情報蓄積部に記録された過去の再生履歴に応じて消去データを決定するための消去条件を設定する消去条件設定部」とあるのは、「消去データを決定するための消去条件を」「該再生情報蓄積部に記録された過去の再生履歴に応じて」「設定する消去条件設定部」を意味するものと認める。
　
（１）段落【００４３】には「本実施形態においては、図１２に示すように、映像表示部１０３により過去の再生履歴に対して、消去の可否を設定するＯＳＤ表示を行い、使用者はこれを見ながら過去の再生状況に対応したデータの消去条件を指定することができる。」とある。ここで、「過去の再生履歴に対して」は、直後に「、」があるから、「ＯＳＤ表示を行い」に係るものといえる。「過去の再生履歴に対して」「ＯＳＤ表示を行い」という以上、行われるのは、「過去の再生履歴に対するＯＳＤ表示」であるといえる。そして、「使用者はこれを見ながら」の「これ」は、「過去の再生履歴に対するＯＳＤ表示」を指す。「過去の再生履歴に対するＯＳＤ表示」「を見ながら・・・消去条件を指定する」ということは、「過去の再生履歴」に応じて「消去条件を指定する」ことである。よって、「消去条件の設定」は、「過去の再生履歴に応じてなされる」ものといえる。
　
（２）段落【００５０】には「過去の再生状況に応じた消去の可否を予め設定しておくことにより」とあるから、「予め設定しておく」「消去の可否」は、「過去の再生状況に応じた」ものである。言い換えれば、「消去の可否」は、「過去の再生状況に応じて予め設定しておく」ものである。「消去の可否」は、「消去データを決定するための消去条件」のことであり、「過去の再生状況」は、「過去の再生履歴」のことであるから、「消去条件の設定」は、「過去の再生履歴に応じてなされる」ものといえる。
　
（３）図１２は、消去条件設定のためのＯＳＤ例であり（段落【００４１】）、「映像音声データＡの過去の再生状況」と記載された矩形の下に、複数の再生モードが羅列されているが、発明の詳細な説明には、それらについての説明が一切ないから、それら複数の再生モードが、実際に映像音声データＡの再生履歴中に含まれる、「過去の再生履歴」に応じたものなのか、存在し得る全ての再生モードであるのか定かでない。しかし、図１２と図１０では、羅列されている複数の再生モードの数も内容も異なっており、しかも、段落【００１５】、【００１６】によれば、用いられ得る複数の再生モードには「巻き戻し再生」が含まれるところ、図１２において羅列されている複数の再生モードには、「巻き戻し再生」が含まれていないから、図１２における複数の再生モードは、実際に映像音声データＡの再生履歴中に含まれる、「過去の再生履歴」に応じたものであるといえる。よって、「消去条件の設定」は、「過去の再生履歴に応じてなされる」ものといえる。
　
２　査定の理由
　
（１）本願各発明が備える主要構成
　原査定で引用された各刊行物のいずれにも、本願各発明が備える下記の主要構成は記載されていない。また、各刊行物を組み合わせても、同主要構成を導くことはできない。
　　　　　　　　　記（本願各発明が備える主要構成）
　記録コンテンツの必要個所の消去指示を出すデータ消去制御部と、過去の再生履歴を記録する再生情報蓄積部と、該再生情報蓄積部に記録された過去の再生履歴に応じて消去データを決定するための消去条件を設定する消去条件設定部を備えること。
　
　そして本願各発明は、上記主要構成を備えることにより、「使用者が例えば映像音声データＡの消去指示を行うと、データ消去制御部１０６は映像音声データＡの過去の再生状況に基づいて、予め使用者により指定された消去条件に従い、映像音声データＡの一部分又は全部を映像音声蓄積部１００から消去することができる。」（段落【００４４】）、「また、過去の再生状況に応じた消去の可否を予め設定しておくことにより、自動的に過去の再生状況に応じて所望の個所のみを選択的に削除することが可能となり、より使い勝手を向上させることができる。」（段落【００５０】）との作用効果を奏するものと認められる。
　
　したがって、本願各発明は、いずれも、原査定で引用された各刊行物に記載された発明に基づいて当業者が容易に想到し得たものであるとすることはできない。
　
（２）刊行物の記載
　原査定で引用された各刊行物の記載についてみておく。
　
ア　刊行物１（特開平９−４６６８８号公報）
　刊行物１には、「ビデオ情報提供／受信システム」に関し、図面と共に次に掲げる事項が記載されている。
　
「この実施例では、ビデオ情報提供ホスト２０８内に操作履歴情報ファイル２１２が保持され、このファイルに、利用者が受信中のビデオ情報に対して実行した各種操作（再生、早送り、巻戻し、停止、一時停止等）が記録されることが、本発明に関連する特徴である。」（段落【００３８】）
　
「操作履歴情報ファイル２１２は、ビデオ情報ＩＤによって識別される複数（１〜ｉ）種類分のビデオ情報に関する操作履歴を保持することができ、それぞれのビデオ情報に対して利用者ＩＤによって識別される複数人（１〜ｊ）分の操作履歴を保持することができ、更にそれぞれの利用者に対してシーケンシャルNo. によって識別される複数組（１〜ｋ）分の操作履歴を保持することができる。」（段落【００４５】）
　
「利用者は利用者端末２００上の各種操作入力装置２０６を操作することによりビデオ情報種別を指定する。」（段落【００４９】）
　
「ビデオ情報編集部２１１は、図３及び図４に示されるデータ構成を有する操作履歴情報ファイル２１２上で、ビデオ情報種別指定＜５０５＞により指定されるビデオ情報に対応するビデオ情報ＩＤに対応し、更にビデオ情報種別指定＜５０５＞を送信した利用者端末２００に対応する利用者ＩＤに対応する各シーケンシャルNo. の操作履歴情報内容を検索する。」（段落【００５０】）
　
「利用者は利用者端末２００上の各種操作入力装置２０６を操作することによりシーケンシャルNo. と利用者ＩＤの組を指定する」（段落【００５１】）
　
「ビデオ情報編集部２１１は、先にビデオ情報種別指定＜５０５＞により指定されたビデオ情報をビデオデータベース２０９から読み出すと共に＜５０８＞、そのビデオ情報に対応するビデオ情報ＩＤに対応し上記指定情報＜５０７＞として指定された利用者ＩＤとシーケンシャルNo. に対応する操作履歴情報内容を操作履歴情報ファイル２１２から読み出し＜５０９＞、その操作履歴情報内容に基づいて、読み出したビデオ情報を編集する。この編集されたビデオ情報は、ビデオ情報送信部２１０を介して対応する利用者端末２００に向けて伝送路２１５に送信される＜５１０＞。この結果、利用者端末２００において、編集されたビデオ情報が放映される。」（段落【００５２】）
　
　上記記載によれば、刊行物１には、利用者が受信中のビデオ情報に対して実行した各種操作（再生、早送り、巻戻し、停止、一時停止等）の履歴を、利用者ＩＤによって識別される複数人分、保持しておき、利用者ＩＤに対応する操作履歴を読み出し、その操作履歴に基づいてビデオ情報を編集し、利用者端末に向けて送信することが記載されている。
　しかし、記録コンテンツの消去個所を決定するための消去条件を設定することについては記載が無い。
　
イ　刊行物２（特開２０００−３５０１６５号公報）
　刊行物２には、「録画された動画像の要約情報を表示する動画像記録再生装置」に関し、図面と共に次に掲げる事項が記載されている。
　
「ユーザ入力操作が、通常再生４３，スロー再生４４，高速再生４５，逆再生４６，静止４７のいずれかである場合には、制御装置２１は、これら各種再生操作を参照して、再生対象となる動画の識別情報と再生方法とを再生装置１２に通知する。これにより、再生装置１２が起動する（ステップ２０６）。また、制御装置２１は、現在再生されているシーンの再生履歴を更新する（ステップ２０７）。」（段落【００２３】）
　
「シーン属性記憶装置３２には、再生履歴として、各再生方法毎の実行回数が記録されており、各再生方法に応じた重み付けをしてシーンの重要度を決定する。例えば、ユーザは自分の好みのシーンほど詳細に見ると考えられるので、各再生方法毎の重み付けを「逆再生５９ ＜ 高速再生５８ ＜ 通常再生５７ ＜ スロー再生５６ ＜ 静止再生５５」の順で設定し、シーン毎に各再生方法の実行回数にその重みを掛けた値の総和を算出し、その結果に基づいて、シーンの重要度を決定する。」（段落【００２４】）
　
「録画すべき動画をシーンの変化毎に分割し、分割した各シーンから、代表画面を選出し、ユーザ入力操作種別に基づいて、各シーンの重要度を判別し、重要度の高いシーンの代表画面を、画像要約情報として表示するようにしたので、ユーザは、自分の好みが反映された要約情報に基づいて、録画された動画の内容を容易に理解することができ、画像の検索が容易となる。」（段落【００２９】）
　
　上記記載によれば、刊行物２には、各再生方法毎の実行回数を再生履歴として記録しておき、シーン毎に各再生方法の実行回数にその重みを掛けた値の総和を算出し、その結果に基づいてシーンの重要度を決定し、重要度の高いシーンの代表画面を画像要約情報として表示することが記載されている。
　しかし、記録コンテンツの消去個所を決定するための消去条件を設定することについては記載が無い。
　
ウ　刊行物３（特開平１０−２６２２３６号公報）
　刊行物３には、「ビデオオンデマンドシステムおよび当該システムにおいて用いることのできるビデオ再生位置検出方法」に関し、図面と共に次に掲げる事項が記載されている。　
　
「クライアントにおいて再生された動画のタイトル対応に、当該動画の再生過程の履歴情報が記憶される履歴記憶手段と、前記クライアントからの再生要求がある毎に再生要求に係る動画のタイトルと、この動画についての再生過程の履歴情報とを得て前記履歴記憶手段に蓄積する履歴情報収集手段と、前記履歴記憶手段に記憶された履歴情報に基づき、動画毎の再生時系列に対応させて当該動画が再生された部分と読み飛ばされた部分との累積情報を作成して統計解析を行う統計解析手段と、前記クライアントから動画の再生要求を受け、当該再生要求自体に読み飛ばし要求が含まれるとき又は当該再生要求後に読み飛ばし要求があるときには、該当するタイトルの動画データを用いて、前記統計解析手段により得られた累積情報に基づき再生と読み飛ばしの制御を行う動画再生制御手段とを具備する」（段落【０００７】）
　
「統計解析手段が、累積情報に基づき、動画の再生を開始する複数の再生開始位置を求め、動画再生制御手段が、クライアントから動画の再生要求を受け、当該再生要求後に読み飛ばし要求があると、前記統計解析手段が求めた当該読み飛ばし位置の次の再生開始位置まで読み飛ばしを行う」（段落【０００８】）
　
　上記記載によれば、刊行物３には、クライアントからの再生要求がある毎に再生要求に係る動画についての再生過程の履歴情報を蓄積しておき、履歴情報に基づき動画毎の再生時系列に対応させて当該動画が再生された部分と読み飛ばされた部分との累積情報を作成し、累積情報に基づき動画の再生を開始する複数の再生開始位置を求め、クライアントから動画の再生要求を受けた後に読み飛ばし要求があると、求めた当該読み飛ばし位置の次の再生開始位置まで読み飛ばしを行うことが記載されている。
　しかし、記録コンテンツの消去個所を決定するための消去条件を設定することについては記載が無い。
　
エ　刊行物４（特開平１１−２１３６３０号公報）
　刊行物４には、「再生したい部分のみを特定する再生映像音声データ特定方法」に関し、図面と共に次に掲げる事項が記載されている。
　
「再生をはじめると、ユーザーは、モニタ６に表示された映像音声データＡＶｄの画像を参照して、再生、早送り、巻き戻し等の操作を行って、再生したい部分の頭出しを行い、その部分を通常再生もしくはスロー再生する。これらの操作情報Ｏｐｏは、再生操作手段３によって再生手段２に指示され、再生手段２は操作情報Ｏｐｏにしたがって再生作業を行う。操作情報Ｏｐｏのうちの、所定の再生操作（本実施の形態においては、画像再生を行う際に実行可能な全ての再生速度における再生操作、例えば、通常再生、スロー再生、早送り再生、巻き戻し再生等とする。）に関する情報である再生操作情報Ｏｐを、再生操作記憶手段４は、記録位置情報ＡＶｔとともに記憶する。」（段落【００２５】）
　
「選定基準情報記憶手段７には、再生操作情報Ｏｐに対応する所定の再生操作のうち、あらかじめ設定したもの（本実施の形態においては、通常再生、スロー再生とする。）に関する情報（本実施の形態においては、通常再生、スロー再生に対応する再生速度を基準再生速度として選定した情報とする。）が選定基準情報Ｏｐｓとして記憶されている。データ特定情報生成手段５は、再生操作記憶手段４に記憶された再生操作情報Ｏｐの所定の再生操作のうち、選定基準情報Ｏｐｓと一致するもの（基準再生速度と同じ再生速度の再生操作）に対応する記録位置情報ＡＶｔの部分を抽出して、データ特定情報Ｄｓを生成する。」（段落【００２７】）
　
「また、本実施の形態における再生映像音声データ特定装置に加え、図５に示すように、データ特定情報生成手段５によって生成されたデータ特定情報Ｄｓに基づいて、再生したい部分以外の映像音声データを記録媒体１から削除する削除手段１５を備えると、本発明の映像音声データ編集装置の一実施の形態となる。すなわち、本実施の形態における再生映像音声データ特定装置によって、特定された映像音声データ以外の映像音声データを削除することによって、映像音声データ自身の編集を可能とするものである。」（段落【００３２】）
　
　上記記載によれば、刊行物４には、再生操作情報Ｏｐを記録位置情報ＡＶｔとともに記憶しておき、記憶された再生操作情報Ｏｐに対応する再生操作のうち、選定基準情報記憶手段７に選定基準情報Ｏｐｓとしてあらかじめ設定したものと一致するものに対応する記録位置情報ＡＶｔの部分を抽出し、データ特定情報Ｄｓを生成し、生成されたデータ特定情報Ｄｓに基づいて、再生したい部分以外の映像音声データを記録媒体１から削除する削除手段１５を備えることが記載されている。
　しかし、削除手段１により削除する部分の映像音声データを決定するための選定基準情報Ｏｐｓをどのように設定するのかについては記載が無いから、本願各発明のように、記録コンテンツの消去個所を決定するための消去条件を過去の再生履歴に応じて設定する構成が、刊行物４に記載されているとはいえない。
　
オ　刊行物５（特開２０００−１３８８８６号公報）
　刊行物５には、「ランダムアクセス記憶媒体の特徴を活かした番組予約と再生が可能であり、録画された番組を効率よく選択して再生できる番組録画再生装置」に関し、図面と共に次に掲げる事項が記載されている。
　
「次に本発明の第１の実施の形態における番組録画再生装置の視聴番組選択モードにおける画面構成について図７を用いて詳細に説明する。」（段落【００２９】）
　
「再生履歴表示領域169には、各行に対応する録画済み番組の録画時間（長さ）を全体長とし番組の録画時間に応じた目盛りがふられ、既に再生し視聴した時間領域を矩形で表示する棒グラフである再生履歴グラフ171と、その録画済み番組の直前の再生がどこで終了したかを再生履歴グラフ171上に示す再生終了線172が表示される。」（段落【００３１】）
　
「例えば図7の状態で決定ボタン128が押下されると、選択カーソル173のある第２行目の番組について先頭から４５分程度経過した個所（直前の再生を終了した個所）から再生を再開するか番組の先頭から再生するかを問い合わせ、利用者の選択した個所から再生が行われる。」（段落【００３８】）
　
「以上の第１の実施の形態では、視聴番組選択画面162において再生履歴を視覚的に表す再生履歴グラフ171と、その映像をサムネイル映像170として表示することで効率的な番組選択が可能となる。」（段落【００４４】）
　
　上記記載によれば、刊行物５には、各録画済み番組の再生履歴を表示することで効率的な番組選択を可能とすることが記載されている。
　しかし、記録コンテンツの消去個所を決定するための消去条件を設定することについては記載が無い。
　
　
第５　むすび
　以上、本願の請求項１から請求項５までに係る発明が上記各刊行物に記載された発明に基づいて当業者が容易に発明をすることができたものであるという原査定の理由によっては、本願を拒絶することはできない。
　また、他に本願を拒絶すべき理由は発見しない。
　よって、結論のとおり審決する。